(57)【特許請求の範囲】
【請求項１】
パレットの滑り止めテープ溶着面と滑り止めテープの裏面とに熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置において、パレットの滑り止めテープ溶着面と滑り止めテープの裏面との間の中央部のみに、押圧ローラの押圧力を作用させることにより、滑り止めテープの裏面とパレットの滑り止めテープ溶着面との間に存在する溶けた樹脂が、滑り止めテープの裏面とパレットの滑り止めテープ溶着面との間から排出されることを抑制するように構成したことを特徴とする合成樹脂製パレットへの滑り止めテープ溶着装置。
【請求項２】
滑り止めテープの長手方向に対して垂直な断面形状を、水平な上面中央部分と該水平な上面中央部分から両側面方向に下方に向かって傾斜した傾斜面とを有するように形成し、滑り止めテープの水平な上面中央部分のみに、押圧ローラを接触させて、滑り止めテープの裏面とパレットの滑り止めテープ溶着面との間の中央部のみに、押圧ローラの押圧力を作用させることにより、滑り止めテープの裏面とパレットの滑り止めテープ溶着面との間に存在する溶けた樹脂が、滑り止めテープの裏面とパレットの滑り止めテープ溶着面との間から排出されることを抑制するように構成したことを特徴とする請求項１に記載の合成樹脂製パレットへの滑り止めテープ溶着装置。
【請求項３】
滑り止めテープの裏面に、水平な中央部分と該水平な中央部分から両側面方向に上方に向かって傾斜した傾斜面を形成したことを特徴とする請求項２に記載の合成樹脂製パレットへの滑り止めテープ溶着装置。
【請求項４】
押圧ローラの周面を、平らな中央部と該平らな中央部から両側面に向かって徐々に小径となる傾斜面とを有するように形成し、長手方向に対して垂直な断面形状が横長の長方形である前記滑り止めテープの上面の中央部に、押圧ローラの平らな中央部のみを接触させて、滑り止めテープの裏面とパレットの滑り止めテープ溶着面との間の中央部のみに、押圧ローラの押圧力を作用させることにより、滑り止めテープの裏面とパレットの滑り止めテープ溶着面との間に存在する溶けた樹脂が、滑り止めテープの裏面と前記パレットの滑り止めテープ溶着面との間から排出されることを抑制するように構成したことを特徴とする請求項１に記載の合成樹脂製パレットへの滑り止めテープ溶着装置。
【請求項５】
パレットの滑り止めテープ溶着面を、その幅方向の中央部を水平に形成するとともに、水平な中央部から幅方向の両端部に向かって下方に傾斜した傾斜面に形成し、長手方向に対して垂直な断面形状が横長の長方形である滑り止めテープの上面に、押圧ローラを接触させて、滑り止めテープの裏面とパレットの滑り止めテープ溶着面との間の中央部のみに、押圧ローラの押圧力を作用させることにより、滑り止めテープの裏面と前記パレットの滑り止めテープ溶着面との間に存在する溶けた樹脂が、滑り止めテープの裏面とパレットの滑り止めテープ溶着面との間から排出されることを抑制するように構成したことを特徴とする請求項１に記載の合成樹脂製パレットへの滑り止めテープ溶着装置。
【発明の詳細な説明】
【０００１】
【発明の属する技術分野】
本発明は、合成樹脂製パレット（以下、単に、「パレット」ともいう。）の表面に、載置された物品の滑りを防止する滑り止めテープを溶着するための合成樹脂製パレットへの滑り止めテープ溶着装置に関するものである。
【０００２】
【従来の技術】
従来、パレットの表面の滑り止めテープ溶着面と滑り止めテープの裏面とに熱風を吹き付けて、パレットの表面の滑り止めテープ溶着面と滑り止めテープの裏面とを溶融するとともに、滑り止めテープを、押圧ローラによりパレットの表面に押し付けることにより、パレットの表面に滑り止めテープを溶着するようにした合成樹脂製パレットへの滑り止めテープ溶着装置が知られている。
【０００３】
【発明が解決しようとする課題】
以下に、従来の合成樹脂製パレットへの滑り止めテープ溶着装置の要部斜視図である図５、従来の合成樹脂製パレットへの滑り止めテープ溶着装置の要部正面図である図６及び合成樹脂製パレット等の垂直断面を含む従来の合成樹脂製パレットへの滑り止めテープ溶着装置の要部側面図である図７を用いて、本発明が解決しようとする課題について説明する。
【０００４】
１は、図示されていない適当なフレームに回転自在に配設された押圧ローラであり、２は、押圧ローラ１付近に配設された、一例としての樋状のガイド部材である。３は、パレットＰの滑り止めテープ溶着面と滑り止めテープＴの裏面ｔ１とに熱風を吹き付けて、パレットＰの滑り止めテープ溶着面と滑り止めテープＴの裏面ｔ１とを溶融する熱風噴射機である。滑り止めテープＴは、長手方向に対して垂直な断面が、横長のほぼ長方形に形成されており、パレットＰに形成された凹溝ｐ１内に、滑り止めテープＴの上部が、パレットＰの表面から、若干突出するように溶着されるように構成されている。従って、上記のパレットＰの滑り止めテープ溶着面は、凹溝ｐ１の底面ｐ１’となる。４は、ベルトコンベヤー等のパレットＰを搬送するためのパレット搬送装置であり、図６には、パレットＰが、左から右方向に搬送される例が示されている。
【０００５】
滑り止めテープＴは、ガイド部材２に案内されながら、パレット搬送装置４により搬送されているパレットＰの滑り止めテープ溶着面（上述したように、この例においては、凹溝ｐ１の底面ｐ１’）と押圧ローラ１とによる滑り止めテープＴの挟持部Ｃ方向に移送される。そして、ガイド部材２から出た滑り止めテープＴの裏面ｔ１とパレットＰの滑り止めテープ溶着面とに、熱風噴射機３により熱風を吹き付けて、パレットＰの滑り止めテープ溶着面と滑り止めテープＴの裏面ｔ１とを溶融するとともに、滑り止めテープＴを、押圧ローラ１によりパレットＰに押し付けることにより、パレット搬送装置４により搬送されているパレットＰに滑り止めテープＴを溶着する。
【０００６】
上述したように、熱風噴射機３により、パレットＰの滑り止めテープ溶着面と滑り止めテープＴの裏面ｔ１とが溶融されるとともに、滑り止めテープＴが、押圧ローラ１によりパレットＰに押し付けられて、パレットＰに滑り止めテープＴが溶着されるが、滑り止めテープＴが、押圧ローラ１に押圧されるために、熱風噴射機３により溶融され、パレットＰの滑り止めテープ溶着面と滑り止めテープＴの裏面ｔ１間に存在する溶けた樹脂が、パレットＰの滑り止めテープ溶着面と滑り止めテープＴの裏面ｔ１の間から排出されて、パレットＰの滑り止めテープ溶着面と滑り止めテープＴの裏面ｔ１間に存在する溶けた樹脂の量が減少し、滑り止めテープＴのパレットＰの滑り止めテープ溶着面への貼着力が弱まり、パレットＰの滑り止めテープ溶着面から滑り止めテープＴが剥離するという問題があった。
【０００７】
本発明の目的は、上述した従来の合成樹脂製パレットへの滑り止めテープ溶着装置が有する課題を解決することにある。
【０００８】
【課題を解決するための手段】
本発明は、上述した目的を達成するために、パレットの滑り止めテープ溶着面と滑り止めテープの裏面とに熱風を吹き付けて、パレットの滑り止めテープ溶着面と滑り止めテープの裏面とを溶融するとともに、滑り止めテープを、押圧ローラによりパレットに押し付けることにより、パレットに滑り止めテープを溶着するようにした合成樹脂製パレットへの滑り止めテープ溶着装置において、第１には、パレットの滑り止めテープ溶着面と滑り止めテープの裏面との間の中央部のみに、押圧ローラの押圧力を作用させることにより、滑り止めテープの裏面とパレットの滑り止めテープ溶着面との間に存在する溶けた樹脂が、滑り止めテープの裏面とパレットの滑り止めテープ溶着面との間から排出されることを抑制するように構成したものであり、第２には、滑り止めテープの長手方向に対して垂直な断面形状を、水平な上面中央部分と該水平な上面中央部分から両側面方向に下方に向かって傾斜した傾斜面とを有するように形成し、滑り止めテープの水平な上面中央部分のみに、押圧ローラを接触させて、滑り止めテープの裏面とパレットの滑り止めテープ溶着面との間の中央部のみに、押圧ローラの押圧力を作用させることにより、滑り止めテープの裏面とパレットの滑り止めテープ溶着面との間に存在する溶けた樹脂が、滑り止めテープの裏面とパレットの滑り止めテープ溶着面との間から排出されることを抑制するように構成したものであり、第３には、滑り止めテープの裏面に、水平な中央部分と該水平な中央部分から両側面方向に上方に向かって傾斜した傾斜面を形成したものであり、第４には、押圧ローラの周面を、平らな中央部と該平らな中央部から両側面に向かって徐々に小径となる傾斜面とを有するように形成し、長手方向に対して垂直な断面形状が横長の長方形である前記滑り止めテープの上面の中央部に、押圧ローラの平らな中央部のみを接触させて、滑り止めテープの裏面とパレットの滑り止めテープ溶着面との間の中央部のみに、押圧ローラの押圧力を作用させることにより、滑り止めテープの裏面とパレットの滑り止めテープ溶着面との間に存在する溶けた樹脂が、滑り止めテープの裏面と前記パレットの滑り止めテープ溶着面との間から排出されることを抑制するように構成したものであり、第５には、パレットの滑り止めテープ溶着面を、その幅方向の中央部を水平に形成するとともに、水平な中央部から幅方向の両端部に向かって下方に傾斜した傾斜面に形成し、長手方向に対して垂直な断面形状が横長の長方形である滑り止めテープの上面に、押圧ローラを接触させて、滑り止めテープの裏面とパレットの滑り止めテープ溶着面との間の中央部のみに、押圧ローラの押圧力を作用させることにより、滑り止めテープの裏面と前記パレットの滑り止めテープ溶着面との間に存在する溶けた樹脂が、滑り止めテープの裏面とパレットの滑り止めテープ溶着面との間から排出されることを抑制するように構成したものである。
【０００９】
【実施例】
以下に、本発明の実施例について説明するが、本発明の趣旨を越えない限り何ら、本実施例に限定されるものではない。なお、上述した従来の合成樹脂製パレットへの滑り止めテープ溶着装置と同じ構成部分については、同じ符号が使用されている。
【００１０】
図１に示されている実施例においては、滑り止めテープＴの長手方向に対して垂直な断面形状が、ほぼ台形状に形成されており、滑り止めテープＴの上面ｔ２の水平な中央部分ｔ２’にのみ、押圧ローラ１の押圧力が加わり、水平な中央部分ｔ２’から側面ｔ３方向に下方に向かって傾斜した傾斜面ｔ２”には、押圧ローラ１が接触しないように構成されている。
【００１１】
押圧ローラ１の押圧力を受ける滑り止めテープＴの上面ｔ２の水平な中央部分ｔ２’の下方に位置する裏面ｔ１とパレットＰの滑り止めテープ溶着面との間に存在する溶けた樹脂は、押圧ローラ１の押圧力により、側面ｔ３方向に流動するが、滑り止めテープＴの上面ｔ２の傾斜部分ｔ２”は、押圧ローラ１の押圧力を受けていないので、傾斜面ｔ２”の下方に位置する滑り止めテープＴの裏面ｔ１とパレットＰの滑り止めテープ溶着面との間に存在する溶けた樹脂が、パレットＰの滑り止めテープ溶着面と滑り止めテープＴの裏面ｔ１の間から排出されることが抑制されることになる。このように、滑り止めテープＴの上面ｔ２の水平な中央部分ｔ２’の下方に位置する裏面ｔ１とパレットＰの滑り止めテープ溶着面との間に存在する溶けた樹脂が、パレットＰの滑り止めテープ溶着面と滑り止めテープＴの裏面ｔ１の間から排出されることなく、傾斜面ｔ２”の下方に位置する滑り止めテープＴの裏面ｔ１とパレットＰの滑り止めテープ溶着面との間に残存するので、従って、パレットＰの滑り止めテープ溶着面と滑り止めテープＴの裏面ｔ１の間には、より多くの溶けた樹脂が存在することになり、滑り止めテープＴが、強固に、パレットＰの滑り止めテープ溶着面に貼着されることになり、滑り止めテープＴのパレットＰの滑り止めテープ溶着面からの剥離を防止することができる。
【００１２】
上述したように、滑り止めテープＴの長手方向に対して垂直な断面形状を、ほぼ台形状に形成することにより、パレットＰの滑り止めテープ溶着面と滑り止めテープＴの裏面ｔ１の間のほぼ中央部にのみに、押圧ローラ１の押圧力を作用させて、滑り止めテープＴの上面ｔ２の傾斜面ｔ２”には、押圧ローラ１の押圧力を作用させないようにしたので、滑り止めテープＴの裏面ｔ１とパレットＰの滑り止めテープ溶着面との間に存在する溶けた樹脂のパレットＰの滑り止めテープ溶着面と滑り止めテープＴの裏面ｔ１の間からの排出が抑制される。なお、図１に示されている滑り止めテープＴの裏表を逆して、滑り止めテープＴの長手方向に対して垂直な断面形状を、逆台形状に形成しても、上記のように、パレットＰの滑り止めテープ溶着面と滑り止めテープＴの裏面ｔ１の間のほぼ中央部にのみに、押圧ローラ１の押圧力を作用させることができる。
【００１３】
図２に示されている実施例は、図１に示されている、長手方向に対して垂直な断面形状が、ほぼ台形状の滑り止めテープＴの裏面ｔ１にも、水平な中央部ｔ１’から側面ｔ３方向に上方に向かって傾斜した傾斜面ｔ１”を形成したものであり、パレットＰの滑り止めテープ溶着面である凹溝ｐ１の底面ｐ１’と滑り止めテープＴの裏面ｔ１の傾斜面ｔ１”との間には、楔状のスリットｔ４が形成されている。このように、滑り止めテープＴの裏面ｔ１にも、水平な中央部ｔ１’から側面ｔ３方向に上方に向かって傾斜した傾斜面ｔ１”を形成したので、上述したように、パレットＰの滑り止めテープ溶着面と滑り止めテープＴの裏面ｔ１の間のほぼ中央部にのみに、押圧ローラ１の押圧力が作用し、溶けた樹脂のパレットＰの滑り止めテープ溶着面と滑り止めテープＴの裏面ｔ１の間からの排出が抑制されるとともに、パレットＰの滑り止めテープ溶着面と滑り止めテープＴの裏面ｔ１の傾斜面ｔ１”との間に形成された楔状のスリットｔ４に、押圧ローラ１の押圧力により、パレットＰの滑り止めテープ溶着面と滑り止めテープＴの裏面ｔ１の間のほぼ中央部から滑り止めテープＴの側面ｔ３方向に流動される溶けた樹脂が溜まるので、溶けた樹脂のパレットＰの滑り止めテープ溶着面と滑り止めテープＴの裏面ｔ１の間からの排出が更に抑制されることになる。従って、パレットＰの滑り止めテープ溶着面と滑り止めテープＴの裏面ｔ１の間には、より多くの溶けた樹脂が存在することになり、滑り止めテープＴが、強固に、パレットＰの滑り止めテープ溶着面に貼着されることになり、滑り止めテープＴのパレットＰの滑り止めテープ溶着面からの剥離を、更に効果的に防止することができる。
【００１４】
図３に示されている実施例は、滑り止めテープＴの長手方向に対して垂直な断面形状が、従来の滑り止めテープＴにように、横長のほぼ長方形に形成されているものを使用した場合の例であり、この場合には、押圧ローラ１の周面１ａが、滑り止めテープＴの上面ｔ２の全幅に亘って接触しないように、押圧ローラ１の周面の中央部１ａ’のみを平らに形成するとともに、中央部１ａ’から押圧ローラ１の両側面１ｂに向かって徐々に小径となる傾斜面１ａ”を形成し、押圧ローラ１をほぼ樽状に形成したものである。このように、押圧ローラ１の周面の平らな中央部１ａ’の両側に、中央部１ａ’から押圧ローラ１の両側面１ｂに向かって徐々に小径となる傾斜面１ａ”を形成したので、パレットＰの滑り止めテープ溶着面と滑り止めテープＴの裏面ｔ１の間のほぼ中央部にのみに、押圧ローラ１の押圧力が作用し、押圧ローラ１に接触しない滑り止めテープＴの両端部付近には、押圧ローラ１の押圧力が作用しないので、滑り止めテープＴの裏面ｔ１とパレットＰの滑り止めテープ溶着面との間に存在する溶けた樹脂のパレットＰの滑り止めテープ溶着面と滑り止めテープＴの裏面ｔ１の間からの排出が抑制されることになる。
【００１５】
図４に示されている実施例は、図３に示されている実施例と同様に、滑り止めテープＴの長手方向に対して垂直な断面形状が、従来の滑り止めテープＴにように、横長のほぼ長方形に形成されているものを使用するとともに、押圧ローラ１を従来のように円柱状に形成し、その周面１ａが、滑り止めテープＴの上面ｔ２の全幅に亘って接触するようにした場合である。そして、パレットＰの滑り止めテープ溶着面である凹溝ｐ１の底面ｐ１’の幅方向の中央部ｐ２のみを水平に形成するとともに、凹溝ｐ１の底面ｐ１’には、中央部ｐ２から、底面ｐ１’の幅方向の両端部に向かって下方に傾斜する傾斜面ｐ３を形成したものである。このように、パレットＰの滑り止めテープ溶着面である凹溝ｐ１の底面ｐ１’の幅方向の中央部ｐ２のみを水平に形成し、凹溝ｐ１の底面ｐ１’には、中央部ｐ２から、底面ｐ１’の幅方向の両端部に向かって下方に傾斜する傾斜面ｐ３を形成したので、パレットＰの滑り止めテープ溶着面と滑り止めテープＴの裏面ｔ１の間のほぼ中央部にのみに、押圧ローラ１の押圧力が作用し、押圧ローラ１に接触しない滑り止めテープＴの両端部付近には、押圧ローラ１の押圧力が作用しないことになる。従って、滑り止めテープＴの裏面ｔ１とパレットＰの滑り止めテープ溶着面との間に存在する溶けた樹脂のパレットＰの滑り止めテープ溶着面と滑り止めテープＴの裏面ｔ１の間からの排出が抑制される。
【００１６】
上述したように、パレットＰの滑り止めテープ溶着面と滑り止めテープＴの裏面ｔ１の間のほぼ中央部にのみに、押圧ローラ１の押圧力が作用し、押圧ローラ１に接触しない滑り止めテープＴの両端部付近には、押圧ローラ１の押圧力が作用しないように構成したので、滑り止めテープＴの裏面ｔ１とパレットＰの滑り止めテープ溶着面との間に存在する溶けた樹脂のパレットＰの滑り止めテープ溶着面と滑り止めテープＴの裏面ｔ１の間からの排出が抑制され、従って、パレットＰの滑り止めテープ溶着面と滑り止めテープＴの裏面ｔ１の間には、より多くの溶けた樹脂が存在することになり、滑り止めテープＴが、強固に、パレットＰの滑り止めテープ溶着面に貼着されることになり、滑り止めテープＴのパレットＰの滑り止めテープ溶着面からの剥離を防止することができる。
【００１７】
押圧ローラ１の押圧力が作用する、パレットＰの滑り止めテープ溶着面と滑り止めテープＴの裏面ｔ１の間の中央部分の幅は、滑り止めテープＴの幅の１／４〜３／４程度とすることが好ましい。押圧ローラ１の押圧力が作用する、パレットＰの滑り止めテープ溶着面と滑り止めテープＴの裏面ｔ１の間の中央部分の幅が、滑り止めテープＴの幅のほぼ３／４を越えると、滑り止めテープＴの裏面ｔ１とパレットＰの滑り止めテープ溶着面との間に存在する溶けた樹脂の多くが、パレットＰの滑り止めテープ溶着面と滑り止めテープＴの裏面ｔ１の間から排出してしまい、滑り止めテープＴとパレットＰの貼着強度が低下する。また、押圧ローラ１の押圧力が作用する、パレットＰの滑り止めテープ溶着面と滑り止めテープＴの裏面ｔ１の間の中央部分の幅が、滑り止めテープＴの幅のほぼ１／４より少ないと、押圧ローラ１による、滑り止めテープＴの裏面ｔ１とパレットＰの滑り止めテープ溶着面との押圧力が小さくなりすぎて、滑り止めテープＴとパレットＰの貼着強度が低下することになる。
【００１８】
熱風噴射機３により熱風を吹き付けて、パレットＰの滑り止めテープ溶着面と滑り止めテープＴの裏面ｔ１とが溶融されるが、熱風噴射機３からの熱風は、パレットＰの滑り止めテープ溶着面と滑り止めテープＴの裏面ｔ１の幅方向の中央部に最も強く当たるとともに、パレットＰの滑り止めテープ溶着面と滑り止めテープＴの裏面ｔ１とに衝突して効果的に、パレットＰの滑り止めテープ溶着面と滑り止めテープＴの裏面ｔ１の幅方向の中央部を溶かすが、パレットＰの滑り止めテープ溶着面と滑り止めテープＴの裏面ｔ１の幅方向の端部付近は、熱風噴射機３からの熱風が側方に吹き抜けてしまうので、パレットＰの滑り止めテープ溶着面と滑り止めテープＴの裏面ｔ１の幅方向の端部付近が十分に溶融されない場合があり、滑り止めテープＴの幅方向の端部付近の貼着強度が弱く、この部分から剥離するという問題が、従来の合成樹脂製パレットへの滑り止めテープ溶着装置にはあった。しかしながら、本実施例においては、パレットＰの滑り止めテープ溶着面と滑り止めテープＴの裏面ｔ１の間のほぼ中央部にのみに、押圧ローラ１の押圧力を作用させたので、パレットＰの滑り止めテープ溶着面と滑り止めテープＴの裏面ｔ１の幅方向の中央部のより多く溶けた樹脂が、パレットＰの滑り止めテープ溶着面と滑り止めテープＴの裏面ｔ１の間のほぼ中央部から、溶融が不十分な幅方向の端部付近に流動するので、パレットＰの滑り止めテープ溶着面と滑り止めテープＴの裏面ｔ１の間の全体に亘って、溶けた樹脂が行き渡り、従って、滑り止めテープＴが、強固に、パレットＰの滑り止めテープ溶着面に貼着されることになる。
【００１９】
【発明の効果】
本発明は、以上説明した構成を有しているので、以下に記載する効果を奏するものである。
【００２０】
滑り止めテープの裏面とパレットの滑り止めテープ溶着面との間に存在する溶けた樹脂のパレットの滑り止めテープ溶着面と滑り止めテープの裏面の間からの排出が抑制でき、従って、滑り止めテープが、強固に、パレットの滑り止めテープ溶着面に貼着されることになり、滑り止めテープのパレットの滑り止めテープ溶着面からの剥離を防止することができる。
【図面の簡単な説明】
【図１】図１は合成樹脂製パレット等の垂直断面を含む本発明の合成樹脂製パレットへの滑り止めテープ溶着装置の要部側面図である。
【図２】図２は合成樹脂製パレット等の垂直断面を含む本発明の別の実施例の合成樹脂製パレットへの滑り止めテープ溶着装置の要部側面図である。
【図３】図３は合成樹脂製パレット等の垂直断面を含む本発明の更に別の実施例の合成樹脂製パレットへの滑り止めテープ溶着装置の要部側面図である。
【図４】図４は合成樹脂製パレット等の垂直断面を含む本発明の更なる別の実施例の合成樹脂製パレットへの滑り止めテープ溶着装置の要部側面図である。
【図５】図５は従来の合成樹脂製パレットへの滑り止めテープ溶着装置の要部斜視図である。
【図６】図６は従来の合成樹脂製パレットへの滑り止めテープ溶着装置の要部正面図である。
【図７】図７は合成樹脂製パレット等の垂直断面を含む従来の合成樹脂製パレットへの滑り止めテープ溶着装置の要部側面図である。
【符号の説明】
Ｐ・・・・・・・・パレット
ｐ１・・・・・・・凹溝
Ｔ・・・・・・・・滑り止めテープ
ｔ１・・・・・・・滑り止めテープの裏面
１・・・・・・・・押圧ローラ
３・・・・・・・・熱風噴射機
【図１】
0003782566.tif 000002
【図２】
0003782566.tif 000003
【図３】
0003782566.tif 000004
【図４】
0003782566.tif 000005
【図５】
0003782566.tif 000006
【図６】
0003782566.tif 000007
【図７】
0003782566.tif 000008